Podtech/llm-jp-corpus-v4-ja_patent huggingface dataset:
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
メモリに格納した文書データを管理する文書管理方法であって、
チェックアウト手段が、ユーザの指示に基づき、文書データを他のユーザに対して排他状態にするステップと、
生成手段が、前記文書データの排他状態を解除するパスワードを生成して前記メモリに格納するステップと、
チェックイン手段が、前記排他状態を指示したユーザの指示、または、前記パスワードを伴う他のユーザの指示に基づき、前記文書データの排他状態を解除し、前記文書データを更新するステップとを有することを特徴とする文書管理方法。
【請求項２】
さらに、更新手段が、前記排他状態を指示したユーザの指示に基づき、前記パスワードを削除または更新するステップを有することを特徴とする請求項1に記載された文書管理方法。
【請求項３】
さらに、記録手段が、前記文書データの更新が行われた際、当該更新を行ったユーザと前記排他状態を指示したユーザを履歴に記録するステップを有することを特徴とする請求項1または請求項2に記載された文書管理方法。
【請求項４】
メモリに格納した文書データを管理する文書管理方法であって、
チェックアウト手段が、ユーザの指示に基づき、文書データを他のユーザに対して排他状態にするステップと、
格納手段が、前記排他状態を指示したユーザの指示に基づき、前記文書データの排他状態の解除を許可するユーザを設定して、当該ユーザ情報を前記メモリに格納するステップと、
チェックイン手段が、前記排他状態を指示したユーザの指示、または、前記排他状態の解除が許可されたユーザの指示に基づき、前記文書データの排他状態を解除し、前記文書データを更新するステップとを有することを特徴とする文書管理方法。
【請求項５】
さらに、更新手段が、前記排他状態を指示したユーザの指示に基づき、前記排他状態の解除を許可するユーザを削除または更新するステップを有することを特徴とする請求項4に記載された文書管理方法。
【請求項６】
前記文書データの排他状態の解除を許可するユーザを設定する際、ユーザグループ単位で設定可能にすることを特徴とする請求項4または請求項5に記載された文書管理方法。
【請求項７】
さらに、記録手段が、前記文書データの更新が行われた際、当該更新を行ったユーザと前記排他状態を指示したユーザを履歴に記録するステップを有することを特徴とする請求項4から請求項6の何れか一項に記載された文書管理方法。
【請求項８】
メモリに格納した文書データを管理する文書管理装置であって、
ユーザの指示に基づき、文書データを他のユーザに対して排他状態にするチェックアウト手段と、
前記文書データの排他状態を解除するパスワードを生成して前記メモリに格納する生成手段と、
前記排他状態を指示したユーザの指示、または、前記パスワードを伴う他のユーザの指示に基づき、前記文書データの排他状態を解除し、前記文書データを更新するチェックイン手段とを有することを特徴とする文書管理装置。
【請求項９】
メモリに格納した文書データを管理する文書管理装置であって、
ユーザの指示に基づき、文書データを他のユーザに対して排他状態にするチェックアウト手段と、
前記排他状態を指示したユーザの指示に基づき、前記文書データの排他状態の解除を許可するユーザを設定して、当該ユーザ情報を前記メモリに格納する設定手段と、
前記排他状態を指示したユーザの指示、または、前記排他状態の解除が許可されたユーザの指示に基づき、前記文書データの排他状態を解除し、前記文書データを更新するチェックイン手段とを有することを特徴とする文書管理装置。
【請求項１０】
コンピュータを、請求項8または請求項9に記載された文書管理装置の各手段として機能させることを特徴とするコンピュータプログラム。
【請求項１１】
請求項10に記載されたコンピュータプログラムが記録されたことを特徴とするコンピュータが読み取り可能な記録媒体。
【手続補正書】
【提出日】平成21年1月29日(2009.1.29)
【手続補正１】
【補正対象書類名】特許請求の範囲
【補正対象項目名】請求項５
【補正方法】変更
【補正の内容】
【請求項５】
前記コード情報のコード方法、前記コード情報の印刷解像度、前記添付ファイルに係る属性情報の印刷の有無、および前記シートにおける前記添付ファイルの印刷位置の少なくとも１つを印刷設定として指定する指定手段をさらに含むことを特徴とする請求項１ないし４のいずれか１項に記載の印刷指示装置。
【手続補正２】
【補正対象書類名】特許請求の範囲
【補正対象項目名】請求項１１
【補正方法】変更
【補正の内容】
【請求項１１】
前記閾値は、印刷対象のシートにおいて印刷可能な最大サイズのコード情報を基準として定められた値であることを特徴とする請求項９に記載の印刷指示装置。
【手続補正３】
【補正対象書類名】特許請求の範囲
【補正対象項目名】請求項１３
【補正方法】変更
【補正の内容】
【請求項１３】
印刷システムであって、
請求項１ないし１２のいずれか１項に記載の印刷指示装置と、
前記印刷指示装置からの印刷指示を受信して印刷を実行する印刷装置と
を含む印刷システム。
【手続補正４】
【補正対象書類名】特許請求の範囲
【補正対象項目名】請求項２３
【補正方法】変更
【補正の内容】
【請求項２３】
印刷装置の制御プログラムであって、
印刷対象ファイルから生成されるコード情報についての印刷指示を受信する受信工程と、
前記コード情報のサイズが閾値を超える場合、前記印刷対象ファイルを予め定められた記憶装置に転送する転送工程と、
転送された前記印刷対象ファイルの記憶場所を表すパス情報をリストとして印刷する印刷工程と
をコンピュータに実行させることを特徴とする制御プログラム。
【手続補正５】
【補正対象書類名】図面
【補正対象項目名】図１４
【補正方法】変更
【補正の内容】
【図１４】
2007207037.tif 000001
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
複数の人間によって共通に使用される第一部分と特定の人間によって使用される第二部分とを有し、前記第一部分には、照合用生体情報の登録を管理する管理部と生体認証結果を利用する利用部とを設けるとともに、前記第二部分には、前記管理部の管理下で登録された照合用生体情報を保持する保持部を設けたことを特徴とする認証システム。
【請求項２】
生体情報を取得する情報取得部と、前記情報取得部によって取得された情報に基づいて照合用生体情報の登録を管理する管理部と、前記管理部の管理により登録された照合用生体情報を外部に伝達する情報伝達部とを有し、前記管理部は照合用生体情報が前記情報伝達部によって外部に伝達されたあとこれを消去することを特徴とする認証システム。
【請求項３】
生体認証を求める際に認証用生体情報を取得する情報取得部と、生体認証を求める際に照合用生体情報に関連する情報を外部から受領する情報受領部と、前記情報取得部が取得する認証用生体情報を前記情報受領部が受領する照合用生体情報と照合する照合部と、前記照合部による照合結果を生体認証結果として利用する利用部とを有することを特徴とする認証システム
【請求項４】
照合用生体情報を保持する保持部と、生体認証を求める際に前記保持部が保持する照合用生体情報に関連する情報を外部に伝達する情報伝達部とを有し、携帯機器として構成されることを特徴とする認証システム。
【請求項５】
複数の照合用生体情報をそれぞれ登録するとともにこれらを個別特定不能状態で管理する管理部と、認証用生体情報を取得する情報取得部と、前記認証用生体情報が前記複数の照合用生体情報のいずれか一つと一致するか否かを生体認証結果として利用する利用部とを有することを特徴とする認証システム。
【請求項６】
複数の人間が出入りする共通の入口において認証用情報を取得する認証用情報取得部と、前記認証用情報に基づいて前記共通の入口の開錠を許可するロック制御部と、前記共通の入口が開錠許可状態となったことを前記認証用情報に基づいて前記共通の入口を通って至ることができる個別の入口内に報知するための報知信号発生部とを有することを特徴とする認証システム。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ＸＹ座標系の画像データに対して画像処理する画像処理装置であって、
基準点の座標と対象点の座標をそれぞれ入力する際に、前記対象点の座標は前記画像データのラスタ順に入力する入力手段と、
前記基準点のＹ座標と前記対象点のＹ座標との差の二乗を演算して記憶する記憶手段と、
前記基準点のＸ座標と前記対象点のＸ座標との差の二乗を演算する二乗演算手段と、
前記記憶された前記基準点のＹ座標と前記対象点のＹ座標との差の二乗と、前記基準点のＸ座標と前記対象点のＸ座標との差の二乗との和を演算することにより前記基準点と前記対象点との間の距離の二乗を出力する加算手段と、
前記基準点と前記対象点との間の距離の二乗を基に前記対象点の画像データを画像処理する画像処理手段とを有し、
前記入力手段は、前記画像データの各ラインの先頭で１回だけ前記基準点のＹ座標と前記対象点のＹ座標との差を入力し、前記基準点のＸ座標と前記ラスタ順の前記対象点のＸ座標との差を順次入力することを特徴とする画像処理装置。
【請求項２】
さらに、前記基準点と前記対象点との間の距離の二乗の平方根を演算する平方根演算手段を有し、
前記画像処理手段は、前記基準点と前記対象点との間の距離の二乗の平方根を基に前記対象点の画像データを画像処理することを特徴とする請求項１記載の画像処理装置。
【請求項３】
さらに、レンズと、前記レンズを介して結像される像を電気信号に変換して前記画像データを生成する撮像素子とを有することを特徴とする請求項１又は２記載の画像処理装置。
【請求項４】
さらに、前記基準点のＸ座標と前記対象点のＸ座標との差及び前記基準点のＹ座標と前記対象点のＹ座標との差にそれぞれに対応した任意係数を乗算する乗算手段を有することを特徴とする請求項１〜３のいずれか１項に記載の画像処理装置。
【請求項５】
前記乗算手段は、撮像素子の間引き読み出しモードに応じて、Ｘ方向及びＹ方向の乗算係数を変化させることを特徴とする請求項４記載の画像処理装置。
【請求項６】
前記画像処理手段は、レンズに起因する画像のシェーディングもしくは歪みの少なくとも１つを補正することを特徴とする請求項１〜５のいずれか１項に記載の画像処理装置。
【請求項７】
ＸＹ座標系の画像データに対して画像処理する画像処理方法であって、
基準点の座標と対象点の座標をそれぞれ入力する際に、前記対象点の座標は前記画像データのラスタ順に入力する入力ステップと、
前記基準点のＹ座標と前記対象点のＹ座標との差の二乗を演算して記憶する記憶ステップと、
前記基準点のＸ座標と前記対象点のＸ座標との差の二乗を演算する二乗演算ステップと、
前記記憶された前記基準点のＹ座標と前記対象点のＹ座標との差の二乗と、前記基準点のＸ座標と前記対象点のＸ座標との差の二乗との和を演算することにより前記基準点と前記対象点との間の距離の二乗を出力する加算ステップと、
前記基準点と前記対象点との間の距離の二乗を基に前記対象点の画像データを画像処理する画像処理ステップとを有し、
前記入力ステップは、前記画像データの各ラインの先頭で１回だけ前記基準点のＹ座標と前記対象点のＹ座標との差を入力し、前記基準点のＸ座標と前記ラスタ順の前記対象点のＸ座標との差を順次入力することを特徴とする画像処理方法。
【手続補正２】
【補正対象書類名】明細書
【補正対象項目名】０００７
【補正方法】変更
【補正の内容】
【０００７】
本発明の画像処理装置は、ＸＹ座標系の画像データに対して画像処理する画像処理装置であって、基準点の座標と対象点の座標をそれぞれ入力する際に、前記対象点の座標は前記画像データのラスタ順に入力する入力手段と、前記基準点のＹ座標と前記対象点のＹ座標との差の二乗を演算して記憶する記憶手段と、前記基準点のＸ座標と前記対象点のＸ座標との差の二乗を演算する二乗演算手段と、前記記憶された前記基準点のＹ座標と前記対象点のＹ座標との差の二乗と、前記基準点のＸ座標と前記対象点のＸ座標との差の二乗との和を演算することにより前記基準点と前記対象点との間の距離の二乗を出力する加算手段と、前記基準点と前記対象点との間の距離の二乗を基に前記対象点の画像データを画像処理する画像処理手段とを有し、前記入力手段は、前記画像データの各ラインの先頭で１回だけ前記基準点のＹ座標と前記対象点のＹ座標との差を入力し、前記基準点のＸ座標と前記ラスタ順の前記対象点のＸ座標との差を順次入力することを特徴とする。
また、本発明の画像処理方法は、ＸＹ座標系の画像データに対して画像処理する画像処理方法であって、基準点の座標と対象点の座標をそれぞれ入力する際に、前記対象点の座標は前記画像データのラスタ順に入力する入力ステップと、前記基準点のＹ座標と前記対象点のＹ座標との差の二乗を演算して記憶する記憶ステップと、前記基準点のＸ座標と前記対象点のＸ座標との差の二乗を演算する二乗演算ステップと、前記記憶された前記基準点のＹ座標と前記対象点のＹ座標との差の二乗と、前記基準点のＸ座標と前記対象点のＸ座標との差の二乗との和を演算することにより前記基準点と前記対象点との間の距離の二乗を出力する加算ステップと、前記基準点と前記対象点との間の距離の二乗を基に前記対象点の画像データを画像処理する画像処理ステップとを有し、前記入力ステップは、前記画像データの各ラインの先頭で１回だけ前記基準点のＹ座標と前記対象点のＹ座標との差を入力し、前記基準点のＸ座標と前記ラスタ順の前記対象点のＸ座標との差を順次入力することを特徴とする。
【手続補正書】
【提出日】平成21年5月27日(2009.5.27)
【手続補正１】
【補正対象書類名】明細書
【補正対象項目名】特許請求の範囲
【補正方法】変更
【補正の内容】
【特許請求の範囲】
【請求項１】  入賞口の開閉動作あるいは入賞口の拡開動作を可動部材で行う構成の遊技機であって、
前記可動部材には、装飾部材が遊技者に目視可能な状態で前記可動部材と連動可能なように連結されていることを特徴とする遊技機。
【請求項２】  請求項１に記載の遊技機であって、
装飾部材は、可動部材よりも大きなサイズで形成されていることを特徴とする遊技機。
【請求項３】  請求項１又は２に記載の遊技機であって、
装飾部材は、可動部材を駆動させる駆動系を模したリンク形状に形成されていることを特徴とする遊技機。
【請求項４】  請求項１〜３のいずれか一項に記載の遊技機であって、
可動部材は、支点を中心に回動することで入賞口の開閉あるいは入賞口の拡開を行う構成であり、装飾部材は前記可動部材の回動自由端側に連結されていることを特徴とする遊技機。
【請求項５】  請求項１〜４のいずれか一項に記載の遊技機であって、
装飾部材は、遊技球の流下状態に影響を及ぼさない位置に配置されていることを特徴とする遊技機。
【請求項６】  請求項１〜請求項５のいずれかに記載の遊技機であって、
装飾部材は、可動部材と異なる色彩を有していることを特徴とする遊技機。
【手続補正書】
【提出日】平成21年9月30日(2009.9.30)
【手続補正１】
【補正対象書類名】明細書
【補正対象項目名】０１６９
【補正方法】変更
【補正の内容】
【０１６９】
【図１】本発明の実施の形態１による血液センサ１１の平面図である。
【図２】上記実施の形態１の血液センサ１１の断面図である。
【図３】上記実施の形態１の血液センサ１１の分解平面図であり、（ａ）は該血液センサ１１のカバーの平面図、（ｂ）は該血液センサ１１のスペーサの平面図、（ｃ）は該血液センサ１１の基板の平面図、（ｄ）は該血液センサ１１の組み立て後の平面図である。
【図４】上記実施の形態１の血液センサ１１の、実施の形態２における採血針の正面図および側面図であり、（ａ）は、側面が三角形をした採血針の正面図と側面図、（ｂ）は、側面が円形をした採血針の正面図と側面図、（ｃ）は、側面が四角形をした採血針の正面図と側面図、（ｄ）は、側面が六角形をした採血針の正面図と側面図である。
【図５】本発明の実施の形態３における採血針カバー切断前の平面図であり、（ａ）は、カバーの採血針カバー切断前の平面図、（ｂ）は、スペーサの採血針カバー切断前の平面図、（ｃ）は、基板の採血針カバー切断前の平面図、（ｄ）は血液センサ１１の組み立て後の平面図である。
【図６】本発明の実施の形態４による血液センサの製造工程図である。
【図７】本発明の実施の形態５による血液センサの平面図である。
【図８】本発明の実施の形態６による血液センサの平面図である。
【図９】実施の形態７における、血液検査装置に挿入する血液センサの透視平面図である。
【図１０】実施の形態７における、血液検査装置の断面図であり、（ａ）は、血液センサの装着を示す血液検査装置の断面図、（ｂ），（ｃ）は、穿刺準備時の断面図、（ｄ）は、穿刺動作時の断面図、（ｅ）は、採血動作時の断面図である。
【図１１】実施の形態７における、血液検査装置のブロック図である。
【図１２】実施の形態７における、血液検査の動作工程図である。
【図１３】実施の形態８における、血液検査装置のブロック図である。
【図１４】従来の穿刺装置の斜視図である。
【図１５】従来の測定装置の平面図である。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
ポリマー組成物から製造された少なくとも１つの層を具備し、上記ポリマー組成物の水蒸気透過率（ＭＶＴＲ）は２０°ＣでＡＳＴＭ  Ｆ１２４９−９９に従って測定して８ｇ−ｍｉｌ／１００ｉｎ２／日以下であり、かつ上記ポリマー組成物は高度に中和された酸ポリマーを有することを特徴とするゴルフボール。
【請求項２】
上記高度に中和された酸ポリマーの少なくとの９０％の酸基が中和されている請求項１記載のゴルフボール。
【請求項３】
上記ポリマー組成物のＭＶＴＲは２０°ＣでＡＳＴＭ  Ｆ１２４９−９９に従って測定して５ｇ−ｍｉｌ／１００ｉｎ２／日以下請求項１記載のゴルフボール。
【請求項４】
上記高度に中和された酸ポリマーは、オレフィン、コポリマーの総重量をベースにして４ｗｔ％から３５ｗｔ％のα，β−エチレン系不飽和カルボン酸、およびコポリマーの総重量をベースにして０ｗｔ％から５０ｗｔ％のＣ１−Ｃ８のアルキル（メタ）アクリレートのコポリマーの塩である請求項１記載のゴルフボール。
【請求項５】
上記高度に中和された酸ポリマーは２またはそれ以上の独立に選択された高度に中和された酸ポリマーのブレンドである請求項１記載のゴルフボール。
【請求項６】
上記高度に中和された酸ポリマーは、１または複数の酸ポリマーを、十分な量の、親水性がより小さなカチオン源に、メルトフロー修正剤の存在下で接触させて上記酸ポリマーの中和レベルを少なくとも７０％まで増加させることを含むプロセスにより製造される請求項１記載のゴルフボール。
【請求項７】
上記カチオン源は、アルカリ金属、アルカリ土類金属、および遷移金属の金属イオンまたは化合物、またはこれらの組み合わせから選択され、上記カチオン源はマグネシウムより親水性が小さい請求項６記載のゴルフボール。
【請求項８】
上記カチオン源は、カリウム、セシウム、カルシウム、バリウム、マンガン、銅、亜鉛、および錫の金属イオンまたは化合物；シリコーン、シラン、および珪酸誘導体、および錯体配位子；および希土類元素の金属イオンおよび化合物から選択される請求項６記載のゴルフボール。
【請求項９】
上記ポリマー組成物は、１または複数の酸ポリマーを、有機酸または有機酸の金属塩と、上記ポリマー組成物中にあるすべての酸官能性の少なくとも７０％を中和するのに十分な量の、親水性がより小さなカチオン源とに、接触させることを含むプロセスにより製造される請求項１記載のゴルフボール。
【請求項１０】
上記酸ポリマーは上記親水性がより小さなカチオン源と接触させる前に部分的に中和されている請求項９記載のゴルフボール。
【手続補正書】
【提出日】平成20年11月13日(2008.11.13)
【手続補正１】
【補正対象書類名】特許請求の範囲
【補正対象項目名】請求項１
【補正方法】変更
【補正の内容】
【請求項１】
複数の吐出口からインクを吐出する記録ヘッドを用いた印刷装置を複数用いて１枚の記録媒体に印刷を行う印刷システムの制御方法であって、
隣接する印刷装置の記録ヘッドの複数ドット分を互いにオーバーラップさせて配置し、
前記オーバーラップした領域において各記録ヘッドからのインク吐出を許可するか否かを定めるマスクパターンを複数組用意しておき、
隣接する印刷装置の境界のオーバーラップ部分毎に前記複数組のマスクパターンから一組のマスクパターンを選択し、
選択されたマスクパターンを用いて前記複数の印刷装置の印刷を実行する
ことを特徴とする印刷システムの制御方法。
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
仮想ゲーム空間の少なくとも一部を表現したゲーム画像を表示画面上に表示し、プレイヤが指示した当該表示画面上の位置を検出するポインティングデバイスを用いて操作されるゲーム装置のコンピュータで実行されるゲームプログラムであって、
前記コンピュータに、
前記ポインティングデバイスによって指示された前記表示画面上の指示座標を取得してメモリに記憶する指示座標取得ステップと、
前記指示座標に対応する仮想ゲーム空間内の目標座標を算出してメモリに記憶する目標座標算出ステップと、
前記表示画面において、所定の基準座標から前記指示座標までの距離を算出する距離算出ステップと、
前記距離に基づいて、速度情報を算出する速度情報算出ステップと、
仮想ゲーム空間内において前記目標座標の方向へ前記速度情報に応じた移動速度で所定のオブジェクトを移動させるオブジェクト移動ステップとを実行させる、ゲームプログラム。
【請求項２】
前記ゲームプログラムは、プレイヤの操作対象となるオブジェクトが表示される位置と重なる前記表示画面上の位置を前記基準座標として設定してメモリに記憶する基準座標設定ステップを、さらに前記コンピュータに実行させる、請求項１に記載のゲームプログラム。
【請求項３】
前記基準座標は、前記表示画面の中心位置に固定されることを特徴とする、請求項１に記載のゲームプログラム。
【請求項４】
前記目標座標算出ステップでは、前記表示画面上の前記指示座標に重なる前記仮想ゲーム空間に設定されたゲームフィールド上の位置が前記目標座標として算出されることを特徴とする、請求項１記載のゲームプログラム。
【請求項５】
前記速度情報算出ステップでは、前記距離に基づいた速度情報として前記オブジェクトの目標速度が所定の関数を用いて算出されることを特徴とする、請求項１に記載のゲームプログラム。
【請求項６】
前記速度情報算出ステップでは、前記距離が第１閾値以上のとき前記目標速度が一定の最高目標速度にされることを特徴とする、請求項１に記載のゲームプログラム。
【請求項７】
前記速度情報算出ステップでは、前記距離が第２閾値未満のとき前記目標速度が０に設定されることを特徴とする、請求項１に記載のゲームプログラム。
【請求項８】
前記ポインティングデバイスは、前記表示画面に装着されたタッチパネルであることを特徴とする、請求項１記載のゲームプログラム。
【請求項９】
前記仮想ゲーム空間は、傾斜の異なる複数の平面で構成される、または曲面を有するゲームフィールドを含む、請求項１記載のゲームプログラム。
【請求項１０】
仮想ゲーム空間の少なくとも一部を表現したゲーム画像を表示画面上に表示し、プレイヤが指示した当該表示画面上の位置を検出するポインティングデバイスを用いて操作されるゲーム装置であって、
記憶手段と、
前記ポインティングデバイスによって指示された前記表示画面上の指示座標を取得して前記記憶手段に記憶する指示座標取得手段と、
前記指示座標に対応する仮想ゲーム空間内の目標座標を算出して前記記憶手段に記憶する目標座標算出手段と、
前記表示画面において、所定の基準座標から前記指示座標までの距離を算出する距離算出手段と、
前記距離に基づいて、速度情報を算出する速度情報算出手段と、
仮想ゲーム空間内において前記目標座標の方向へ前記速度情報に応じた移動速度で所定のオブジェクトを移動させるオブジェクト移動手段とを備える、ゲーム装置。
【手続補正２】
【補正対象書類名】明細書
【補正対象項目名】００１４
【補正方法】変更
【補正の内容】
【００１４】
第１の発明は、仮想ゲーム空間の少なくとも一部を表現したゲーム画像を表示画面（１２）上に表示し、プレイヤが指示したその表示画面上の位置を検出するポインティングデバイス（１５）を用いて操作されるゲーム装置（１）のコンピュータ（２１）で実行されるゲームプログラムである。ゲームプログラムは、指示座標取得ステップ（Ｓ５１）、目標座標算出ステップ（Ｓ５２）、距離算出ステップ（Ｓ５４）、速度情報算出ステップ（Ｓ５４）、およびオブジェクト移動ステップ（Ｓ５９〜Ｓ６１）を、コンピュータに実行させる。指示座標取得ステップは、ポインティングデバイスによって指示された表示画面上の指示座標（ＴＰ）を取得してメモリ（２４）に記憶する。目標座標算出ステップは、指示座標に対応する仮想ゲーム空間内の目標座標（Ｐｔ）を算出してメモリに記憶する。距離算出ステップは、表示画面において、所定の基準座標（Ｐ０）から指示座標までの距離（Ｄ）を算出する。速度情報算出ステップは、距離に基づいて、速度情報（Ｖｔ）を算出する。オブジェクト移動ステップは、仮想ゲーム空間内において目標座標の方向へ速度情報に応じた移動速度で所定のオブジェクト（ＰＣ）を移動させる。なお、ポインティングデバイスは、表示画面上での入力位置や座標を指定する入力装置であり、例えば、タッチパネル、マウス、トラックパッド、トラックボールなどで実現される。そして、それぞれの入力装置で用いられる座標系は、タッチパネル座標系や画面座標系である。
【手続補正３】
【補正対象書類名】明細書
【補正対象項目名】００１９
【補正方法】変更
【補正の内容】
【００１９】
第６の発明は、上記第１の発明において、速度情報算出ステップでは、距離が第１閾値（Ｄ２）以上のとき目標速度が一定の最高目標速度（Ｖｔｍａｘ）にされる。
【手続補正４】
【補正対象書類名】明細書
【補正対象項目名】００２０
【補正方法】変更
【補正の内容】
【００２０】
第７の発明は、上記第１の発明において、速度情報算出ステップでは、距離が第２閾値（Ｄ１）未満のとき目標速度が０に設定される。
【手続補正５】
【補正対象書類名】明細書
【補正対象項目名】００２１
【補正方法】変更
【補正の内容】
【００２１】
第８の発明は、上記第１の発明において、ポインティングデバイスは、表示画面に装着されたタッチパネルである。
第９の発明は、上記第１の発明において、仮想ゲーム空間は、傾斜の異なる複数の平面で構成される、または曲面を有するゲームフィールドを含む。
【手続補正６】
【補正対象書類名】明細書
【補正対象項目名】００２２
【補正方法】変更
【補正の内容】
【００２２】
第１０の発明は、仮想ゲーム空間の少なくとも一部を表現したゲーム画像を表示画面上に表示し、プレイヤが指示したその表示画面上の位置を検出するポインティングデバイスを用いて操作されるゲーム装置である。ゲーム装置は、記憶手段、指示座標取得手段、距離算出手段、目標座標算出手段、速度情報算出手段、およびオブジェクト移動手段を備える。指示座標取得手段は、ポインティングデバイスによって指示された表示画面上の指示座標を取得して記憶手段に記憶する。距離算出手段は、表示画面において、所定の基準座標から指示座標までの距離を算出する。目標座標算出手段は、指示座標に対応する仮想ゲーム空間内の目標座標を算出して記憶手段に記憶する。速度情報算出手段は、距離に基づいて、速度情報を算出する。オブジェクト移動手段は、仮想ゲーム空間内において目標座標の方向へ速度情報に応じた移動速度で所定のオブジェクトを移動させる。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
軽叩解セルロースパルプ、マーセル化セルロース及びフラッフ化セルロースからなる群から選択された少なくとも１種のセルロースを含み、多孔質填料が内添された多孔質セルロース層からなることを特徴とする被記録媒体。
【請求項２】
支持体と、前記支持体上に設けられたインク受容層とを有する被記録媒体において、
前記支持体が、軽叩解セルロースパルプ、マーセル化セルロース及びフラッフ化セルロースからなる群から選択された少なくとも１種のセルロースを含み多孔質填料が内添された多孔質セルロース層からなることを特徴とする被記録媒体。
【請求項３】
前記多孔質セルロース層の密度が、０．７ｇ／ｃｍ3以下であることを特徴とする請求項１または２に記載の被記録媒体。
【請求項４】
前記軽叩解セルロースパルプが、カナダ標準濾水度５００ｍｌ以上のパルプであることを特徴とする請求項１〜３の何れか１項に記載の被記録媒体。
【請求項５】
前記多孔質填料が、シリカ及びシリケートの少なくとも一方であることを特徴とする請求項１〜４の何れか１項に記載の被記録媒体。
【請求項６】
前記多孔質セルロース層の前記多孔質填料の含量が、灰分換算で多孔質セルロース層全体の５質量％以上、２０質量％以下であることを特徴とする請求項１〜５の何れか１項に記載の被記録媒体。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】変更
【補正の内容】
【００２８】
ここで、前記多孔質セルロース層の密度が、０．７ｇ／ｃｍ3以下であることが好ましい。
ここで、前記軽叩解セルロースパルプが、カナダ標準濾水度５００ｍｌ以上のパルプであること好ましい。
ここで、前記多孔質填料が、シリカ及びシリケートの少なくとも一方であることが好ましい。
【手続補正４】
【補正対象書類名】明細書
【補正対象項目名】００２９
【補正方法】変更
【補正の内容】
【００２９】
ここで、前記多孔質セルロース層の前記多孔質填料の含量が、灰分換算で多孔質セルロース層全体の５質量％以上、２０質量％以下であることが好ましい。
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
基材、
前記基材の一面に形成されており、その一面には凹凸が備えられている第１接着層、及び
前記基材の他の一面に形成されている第２接着層
を含む可撓性表示装置用接着テープ。
【請求項２】
前記第２接着層の一面には凹凸が備えられている請求項１に記載の可撓性表示装置用接着テープ。
【請求項３】
前記凹凸の隣接する凸部の間の長さは５〜５００μｍである請求項１又は２に記載の可撓性表示装置用接着テープ。
【請求項４】
前記凹凸の凹部の深さは１０μｍ以下である請求項１〜３のいずれか１つに記載の可撓性表示装置用接着テープ。
【請求項５】
前記第１及び第２接着層はアクリル系又はシリコン系の接着剤を含む請求項１〜４のいずれか１つに記載の可撓性表示装置用接着テープ。
【請求項６】
可撓性基板の一面に凹凸が形成されている接着テープの一側面を接着する工程、
前記接着テープの他の面を支持体に付着する工程、
前記可撓性基板上に薄膜パターンを形成する工程、
前記可撓性基板を前記支持体から分離する工程
を含む可撓性表示装置の製造方法。
【請求項７】
前記接着テープの他の面には凹凸が形成されている請求項６に記載の可撓性表示装置の製造方法。
【請求項８】
前記凹凸の隣接する凸部の間の長さは５〜５００μｍである請求項６又は７に記載の可撓性表示装置の製造方法。
【請求項９】
前記凹凸の凹部の深さは１０μｍ以下である請求項６〜８のいずれか１つに記載の可撓性表示装置の製造方法。
【請求項１０】
前記第１及び第２接着層はアクリル系又はシリコン系の接着剤である請求項６〜９のいずれか１つに記載の可撓性表示装置の製造方法。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
ハイブリッド共重合体の製造方法であって、
開始剤溶液の存在下で連鎖移動剤を含有する天然由来のヒドロキシルを用いて単量体溶液を重合させる段階を含み、そこでは
該開始剤溶液が金属イオンベースの酸化還元系ではなく、そして
該共重合体の合計重量に基づき、該単量体溶液が２５重量％〜９９．９重量％の量で存在し、該連鎖移動剤が０．１重量％〜７５重量％の量で存在する、
製造方法。
【請求項２】
共重合体の主鎖としての合成重合体、及び
該共重合体の連鎖終端部分としての天然由来のヒドロキシル含有重合体、
を含んで成るハイブリッド共重合体。
【請求項３】
請求項２に記載の重合体を含んで成る、水処理系内のカーボネート及びホスフェートスケールを予防する際に使用するための水処理組成物であって、該重合体が該組成物の１０重量％〜２５重量％の量で該組成物中に存在する、水処理組成物。
【請求項４】
請求項２に記載の重合体を含んで成る清浄用配合物であって、該重合体が該清浄用配合物の０．０１重量％〜１０重量％の量で存在する、清浄用配合物。
【請求項５】
単数又は複数の燐ベースのビルダー及び／又はカーボネートビルダーをさらに含んで成る、請求項４に記載の清浄用配合物。
【請求項６】
前記清浄用配合物が自動食洗器洗剤配合物である、請求項４に記載の清浄用配合物。
【請求項７】
ビルダー、界面活性剤、酵素、溶剤、ヒドロトロープ、充填剤、漂白剤、香料及び／又は着色料をさらに含んで成る、請求項６に記載の自動食洗器洗剤配合物。
【請求項８】
単数又は複数の界面活性剤をさらに含んで成る、請求項４に記載の清浄用配合物。
【請求項９】
請求項４に記載の清浄用配合物を含んで成る、粉末又は液体又は単位用量洗剤配合物。
【請求項１０】
請求項２に記載の重合体を含んで成る鉱物分散剤。
【請求項１１】
分散されている鉱物がタルク、二酸化チタン、雲母、沈殿炭酸カルシウム、重質炭酸カルシウム、沈殿シリカ、シリケート、酸化鉄、粘土、カオリン粘土又はそれらの組み合せである、請求項１０に記載の鉱物分散剤。
【請求項１２】
請求項２の重合体を含んで成る水性系処理組成物であって、水性系中で炭酸カルシウム結晶の成長を改質することができる水性系処理組成物。
【請求項１３】
前記水性系が水処理系、油田系または清浄系である、請求項１２に記載の水性系処理組成物。
【請求項１４】
請求項２に記載の重合体を含んで成る水性系処理組成物であって、スルフェートスケールを最小化することができる水性系処理組成物。
【請求項１５】
前記水性系が油田系でありかつ最小化されるホスフェートスケールが硫酸バリウムスケールである、請求項１４に記載の水性系処理組成物。
【請求項１６】
請求項２に記載の重合体を含んで成る、ファイバーグラス用バインダー。
【請求項１７】
請求項２に記載の重合体を含んで成る、超吸収剤又は粘弾性改良剤。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
遊技球が入賞可能な入賞装置を備える遊技領域が形成された遊技盤と、
前記遊技盤を着脱可能に収容保持する収容枠部が設けられた枠部材と、
前記収容枠部の下側に位置する前記枠部材の下部領域に設けられ、この下部領域を上方に延びて設けられた発射レールを有して前記発射レールの上端の発射口から前記遊技盤の上部に位置する前記遊技領域への入口部に向けて上方に遊技球を発射させる打球発射装置と、
前記枠部材の後面側に設けられ、前記打球発射装置から発射されて前記入口部を通って前記遊技領域内に入った遊技球が前記入賞装置に入賞することに応じて賞球としての遊技球を払い出す球払出装置と、
前記枠部材の前面側に突出して取り付けられて遊技球を貯留する皿部材および前記皿部材に繋がって形成されて前記皿部材に貯留された遊技球を整列させて前記打球発射装置に供給する案内通路を有した球皿と、
前記皿部材に貯留された遊技球を排出させる第１の球抜き機構と、
前記案内通路に位置する遊技球を排出させる第２の球抜き機構と、
前記枠部材に設けられ前記球払出装置から払い出された遊技球を前記球皿に導く球払出通路を備えた弾球遊技機において、
前記発射レールの上方側に設けられ、前記打球発射装置により前記発射口から上方に発射された遊技球のうち、前記入口部から前記遊技領域に到達できずに落下して戻ってくるファール遊技球を回収するファール球回収部材を有し、
前記ファール球回収部材が前記発射レールの上部を一体に有して形成され、前記発射口の左右両側において上方に開口するファール球回収口を有した左右のファール球回収部と、前記発射レールおよび前記ファール球回収部に対して前後方向に並んで位置して左右に延びるファール球回収通路が形成されており、
前記左右のファール球回収部がそれぞれ前記ファール球回収通路に繋がり、前記発射レールが前記左右のファール球回収部の底面より上方に突出して前記発射口が前記左右のファール球回収部の底面より上方に位置し、前記打球発射装置から上方に発射されて前記入口部から前記遊技領域に到達できずに落下して戻ってくるファール遊技球が、前記ファール球回収口から前記ファール球回収部内に回収されて前記ファール球回収通路内に流入回収されるように構成されており、
前記皿部材の下方に遊技球を排出させるための導出路を有した通路部材が設けられており、
前記第１の球抜き機構により前記皿部材から排出された遊技球を受け入れる第１球抜き路が前記導出路と繋がって設けられ、前記第２の球抜き機構により前記案内通路から排出された遊技球を受け入れる第２球抜き路が前記導出路と繋がって設けられており、前記第１および前記第２球抜き路に受け入れた遊技球を前記導出路において合流させて排出させるように構成されており、
前記ファール球回収通路が左右方向一端側に向かって斜め下方に延び、前記ファール球回収通路に流入したファール遊技球が前記左右方向一端側に流れて前記球皿に設けられた球皿通出口を通って前記球皿に流出するように構成されていることを特徴とする弾球遊技機。
【手続補正２】
【補正対象書類名】明細書
【補正対象項目名】００１２
【補正方法】削除
【補正の内容】
【手続補正書】
【提出日】平成21年7月15日(2009.7.15)
【手続補正１】
【補正対象書類名】明細書
【補正対象項目名】０００７
【補正方法】変更
【補正の内容】
【０００７】
このような目的達成のため、本発明は、図柄の変動表示が可能な図柄表示装置と、始動入賞口に遊技球が入賞する毎に乱数を取得する乱数取得手段（例えば、本実施例における図柄変動要素取得手段６２１）と、乱数取得手段で取得された乱数に基づき特別遊技を実行するか否かの判定を実行する実行判定手段（例えば、本実施例における当たり乱数判定手段６２３）と、図柄表示装置に図柄を変動表示させた後に停止表示させる図柄変動過程を実行判定手段による判定結果に基づいて制御する図柄制御手段と、図柄制御手段により停止表示された図柄が予め定められた当たり図柄であるときに、遊技領域に設けられた可変入賞口（例えば、本実施例における大入賞口１３）を入賞容易とする遊技を行わせる特別遊技実行手段とを備えた遊技機において、図柄変動過程（例えば、本実施例における変動パターン）の表示終了後に行われる遊技状態について予告可能であることを遊技者に報知する第１演出画像および図柄変動過程の表示終了後に行われる遊技状態について遊技者に予告する第２演出画像から構成される予告用演出パターンと、第１および第２演出画像を含まない予告無し演出パターンとを複数記憶している演出パターン記憶手段（例えば、本実施例における演出パターン群メモリ６２４ｄ）と、演出パターン記憶手段に記憶されている複数の演出パターンからいずれかの演出パターンを選択する演出パターン選択手段と、演出パターン選択手段により選択された演出パターンの表示を実行する演出パターン実行手段と、遊技者により操作可能な操作手段と、操作手段における所定操作の検出を行う操作検出手段（例えば、本実施例における操作検出装置６ｂ）と、演出パターン選択手段により選択された演出パターンに基づき、操作手段の操作を有効にするか否かの判定をする操作有効判定手段とを備え、予告無し演出パターンが選択されたときには操作手段の操作が有効とならないように設定されており、演出パターン実行手段は、演出パターン選択手段により予告用演出パターンのいずれかが選択されるとともにそこに設定されている第１演出画像が表示されている間であり、且つ、操作有効判定手段により操作手段の所定操作を有効にすると判定されているときに、予め設定されている所定制限時間内に操作検出手段により操作手段の所定操作が検出された場合は、第２演出画像の表示を実行し、演出パターン選択手段により予告無し演出パターンが選択された場合には、操作手段の所定操作を無効にして、図柄表示装置に図柄を変動表示させた後に停止表示させる図柄変動過程の表示のみを実行する。
【手続補正２】
【補正対象書類名】明細書
【補正対象項目名】０００８
【補正方法】変更
【補正の内容】
【０００８】
上記構成の弾球遊技機において、好ましくは、演出パターン選択手段により予告無し演出パターンが選択された場合には、図柄表示装置に図柄を変動表示させた後に停止表示された図柄が当たり図柄となる確率が、予告用演出パターンが選択された場合より低くなるように設定される。
【手続補正３】
【補正対象書類名】特許請求の範囲
【補正対象項目名】全文
【補正方法】変更
【補正の内容】
【特許請求の範囲】
【請求項１】
図柄の変動表示が可能な図柄表示装置と、始動入賞口に遊技球が入賞する毎に乱数を取得する乱数取得手段と、前記乱数取得手段で取得された乱数に基づき特別遊技を実行するか否かの判定を実行する実行判定手段と、前記図柄表示装置に前記図柄を変動表示させた後に停止表示させる図柄変動過程を前記実行判定手段による判定結果に基づいて制御する図柄制御手段と、前記図柄制御手段により停止表示された前記図柄が予め定められた当たり図柄であるときに、遊技領域に設けられた可変入賞口を入賞容易とする遊技を行わせる特別遊技実行手段とを備えた遊技機において、
図柄変動過程の表示終了後に行われる遊技状態について予告可能であることを遊技者に報知する第１演出画像および前記図柄変動過程の表示終了後に行われる遊技状態について遊技者に予告する第２演出画像から構成される予告用演出パターンと、前記第１および前記第２演出画像を含まない予告無し演出パターンとを複数記憶している演出パターン記憶手段と、
前記演出パターン記憶手段に記憶されている複数の演出パターンからいずれかの演出パターンを選択する演出パターン選択手段と、
前記演出パターン選択手段により選択された演出パターンの表示を実行する演出パターン実行手段と、
遊技者により操作可能な操作手段と、
前記操作手段における所定操作の検出を行う操作検出手段と、
前記演出パターン選択手段により選択された演出パターンに基づき、前記操作手段の操作を有効にするか否かの判定をする操作有効判定手段とを備え、
前記予告無し演出パターンが選択されたときには前記操作手段の操作が有効とならないように設定されており、
前記演出パターン実行手段は、
前記演出パターン選択手段により前記予告用演出パターンのいずれかが選択されるとともにそこに設定されている第１演出画像が表示されている間であり、且つ、前記操作有効判定手段により前記操作手段の所定操作を有効にすると判定されているときに、予め設定されている所定制限時間内に前記操作検出手段により前記操作手段の所定操作が検出された場合は、第２演出画像の表示を実行し、
前記演出パターン選択手段により前記予告無し演出パターンが選択された場合には、前記操作手段の所定操作を無効にして、前記図柄表示装置に前記図柄を変動表示させた後に停止表示させる前記図柄変動過程の表示のみを実行する
ことを特徴とする弾球遊技機。
【請求項２】
前記演出パターン選択手段により前記予告無し演出パターンが選択された場合には、前記図柄表示装置に図柄を変動表示させた後に停止表示された図柄が当たり図柄となる確率が、前記予告用演出パターンが選択された場合より低くなるように設定されていることを特徴とする請求項１に記載の弾球遊技機。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、ガラス板、あるいはフィルム状樹脂組成物等からなる被洗浄面の洗浄、清掃、研磨、表面処理等を行うブラシロールにおいて、前記ブラシロールは、略棒状又は円筒状のシャフトと、前記シャフトの外周に螺旋状に巻き付けられたブラシ部を有し、前記ブラシ部は断面略Ｕ字状の帯状体と、前記帯状体で芯線と共に挟持されるブラシ毛材とで構成されたチャンネルブラシからなるブラシ体が３本以上並列に設けられてあると共に、前記シャフトの外周に螺旋状に巻き回されて形成されてあり、隣り合う前記ブラシ体の前記帯状体間の隙間は前記帯状体の幅以下にて設定されてあることを特徴とするブラシロール。
【請求項２】
請求項１記載の構成よりなるブラシロールにおいて、隣り合うブラシ体の帯状体間の隙間は略同一幅にて形成されてあることを特徴とするブラシロール。
【請求項３】
請求項１又は２記載の構成よりなるブラシロールにおいて、ブラシ部は少なくとも１本以上のブラシ体が、他のブラシ体と異なるブラシ毛材にて構成されてあることを特徴とするブラシロール。
【請求項４】
請求項１から３のいずれか１項に記載されたブラシロールと、前記ブラシロールを回転駆動する駆動手段と、前記ブラシロール及び／又は被洗浄面に洗浄液等の液体を吹き付ける複数のノズルを有する洗浄装置。
【手続補正２】
【補正対象書類名】明細書
【補正対象項目名】００１０
【補正方法】変更
【補正の内容】
【００１０】
上記従来の課題を解決するために、請求項１のブラシロールは、鋼板、非鉄金属板、樹脂板、ガラス板、あるいはフィルム状樹脂組成物等からなる被洗浄面の洗浄、清掃、研磨、表面処理等を行うブラシロールにおいて、前記ブラシロールは、略棒状又は円筒状のシャフトと、前記シャフトの外周に螺旋状に巻き付けられたブラシ部を有し、前記ブラシ部は断面略Ｕ字状の帯状体と、前記帯状体で芯線と共に挟持されるブラシ毛材とで構成されたチャンネルブラシからなるブラシ体が３本以上並列に設けられてあると共に、前記シャフトの外周に螺旋状に巻き回されて形成されてあり、隣り合う前記ブラシ体の前記帯状体間の隙間は前記帯状体の幅以下にて設定されてあるもので、ブラシロールは１本のブラシ体がシャフトの外周に螺旋状に巻き回されてあるピッチの間に、他の２本以上のブラシ体が配列されている。従って、ブラシロールは、１本のブラシ体のみによりシャフトの外周に螺旋状に巻き回されて形成されてある場合に比べ、各ブラシ体のシャフトの長手方向と直交する方向にたいする傾斜角度を、大きく設定することができる。その為、ブラシロールの回転に伴い、ブラシ毛材は被洗浄面にたいして接触面積を広く確保して当接するので、被洗浄面にブラシ毛材が当接しない隙間部分、すなわちブラシマークの発生が抑えられ、被洗浄面に洗浄残りが生じることがなく、ブラシロールは被洗浄面を均一に洗浄する。
【手続補正３】
【補正対象書類名】明細書
【補正対象項目名】００１４
【補正方法】変更
【補正の内容】
【００１４】
請求項２のブラシロールは、特に、請求項１のブラシロールにおいて、隣り合うブラシ体の帯状体間の隙間は略同一幅にて形成されてあるもので、チャンネルブラシからなるブラシ体を一定の隙間をもってシャフトの外周に巻き回して装着すればよいので、ブラシ部の形成、すなわちブラシ体のシャフトへの取り付けが容易となる。その為、ブラシロールの生産性が向上するので、安価にてブラシロールを提供することができる。また、ブラシ体の帯状体間の隙間が一定の為、ブラシロールの回転バランスが向上し、回転に伴う芯ブレが抑制される。
【手続補正４】
【補正対象書類名】明細書
【補正対象項目名】００１５
【補正方法】変更
【補正の内容】
【００１５】
請求項３のブラシロールは、特に、請求項１又は２のブラシロールにおいて、ブラシ部は少なくとも１本以上のブラシ体が、他のブラシ体と異なるブラシ毛材にて構成されてあるもので、例えば、被洗浄面にたいして異なる押付力、接触力にてブラシ毛材を当接させることができる。被洗浄面には、例えば、塗料ミスト、ペンキ等の合成樹脂、鉄粉、石等の無機物、繊維クズ等の塵埃等、さまざまな対象物が付着している。また、付着状態も、塗料ミスト、ペンキ等の如く、強固に付着している対象物から、塵埃等の如く、表面に添付しているだけの対象物までさまざまである。また、硬さも、鉄粉、石等の如く、硬い対象物から、塵埃等の如く、柔らかい対象物までさまざまである。その為、ブラシ体を異なるブラシ毛材にて構成することにより、前記の如くのさまざまな対象物を、効率よく確実に、被洗浄面から除去することが可能となる。
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
基材を用意し、該基材を被覆方法により被覆することを含む被膜付き切削工具の製造方法において、該被覆方法が、
非金属の機能層または機能層システムを堆積する工程、
上記機能層または機能層システムの表面にイオンエッチングを施す工程、
金属の中間層を少なくとも一層堆積する工程
を含む手順を少なくとも１回行うことを特徴とする被膜付き切削工具の製造方法。
【請求項２】
請求項１において、上記イオンエッチングをアルゴンイオンによって行うことを特徴とする製造方法。
【請求項３】
請求項１において、上記イオンエッチングを金属イオンによって行うことを特徴とする製造方法。
【請求項４】
請求項１〜３のいずれかにおいて、上記被覆方法がＰＶＤまたはＰＥＣＶＤであることを特徴とする製造方法。
【請求項５】
請求項１〜４のいずれかにおいて、上記金属の中間層がＴｉ、Ｍｏ、Ａｌ、Ｃｒ、Ｖ、Ｙ、Ｎｂ、Ｈｆ、Ｗ、Ｔａ、Ｚｒから選択された純金属またはこれらの混合物から成ることを特徴とする製造方法。
【請求項６】
請求項１〜４のいずれかにおいて、上記金属の中間層が不足当量セラミックからなり、金属元素の分量が該不足当量セラミックの６０％以上であることを特徴とする製造方法。
【請求項７】
請求項６において、上記不足当量セラミックが窒化物ＭｅＮであって、ＭｅはＴｉ、Ｍｏ、Ａｌ、Ｃｒ、Ｖ、Ｙ、Ｎｂ、Ｈｆ、Ｗ、Ｔａ、Ｚｒから選択された１種以上の金属またはこれらの混合物であることを特徴とする製造方法。
【請求項８】
請求項１〜７のいずれかにおいて、上記堆積した非金属の層または層システムが、窒化物、酸化物、硼化物、炭化物、またはこれらの組み合わせであることを特徴とする製造方法。
【請求項９】
請求項１〜８のいずれかにおいて、上記金属の層の厚さが５〜５００ｎｍであることを特徴とする製造方法。
【請求項１０】
請求項１〜９のいずれかにおいて、上記非金属の層または層システムの厚さが上記金属の層の３〜２００倍であることを特徴とする製造方法。
【請求項１１】
請求項１〜１０のいずれかにおいて、上記被膜全体の合計厚さが０．５〜１５μｍであることを特徴とする製造方法。
【請求項１２】
請求項１〜１１のいずれかの方法により製造された切削工具。